Podtech/llm-jp-corpus-v4-ja_patent huggingface dataset:
(57)【要約】      （修正有）【課題】丸棒とダイス切り込み面を直角に保持することで、丸棒によれのないネジを切るダイスハンドルを提供する。【解決手段】ダイスハンドルのネジ切り込み面側にガイドカラー６を設けることにより、丸棒とガイドカラーが勘合しダイス３と丸棒を正確な直角に保持する。【選択図】図１
0003141111.tif 000002
【実用新案登録請求の範囲】
【請求項１】
フランジの付いた円柱状のガイドカラーを、ダイスホルダーの切り込み面側に設けたことを特徴とするガイドカラー付きダイスハンドル。
【考案の詳細な説明】
【技術分野】
【０００１】  本考案は、丸棒にネジを切るダイスハンドルに関するものである。
【背景技術】
【０００２】  従来から、オスネジ切り具としてダイスハンドルが利用されている。
【考案の開示】
【考案が解決しょうとする課題】
【０００３】  しかし、従来のようなガイドのないダイスハンドルを使用してネジを切った場合、丸棒に対して直角にダイス切り込み面を合わせる事は難しく、大概の場合は、よれたネジが切れてしまうという不都合があり、それを解決する事を課題とする。
【課題を解決するための手段】
【０００４】  この課題を解決するための請求項１の考案は、ダイスホルダーの切り込み面側に取り外しが出来るガイドカラーを設け丸棒に対して直角にダイス切り込み面を保持出来る事により、よれたネジが切れてしまうということを防止出来る。
【考案の効果】
【０００５】  本考案により、よれたネジが切れてしまうという不都合はおきず丸棒に対して直角でよれのない完全なネジを切る事が出来る。
【考案を実施するための最良の形態】
【０００６】  図−１は、ダイスホルダーの切り込み面側にガイドカラーを設けることを特徴とするガイドカラー付きダイスハンドルの断面図である。同図に示すようにガイドカラーによりダイスの刃が丸棒に対し直角に保持出来、切り込めることが出来る。このガイドカラーは、スナップリングで簡単に取り付けられ、サイズを交換で出来るようになっており、一つのダイスハンドルで各サイズのネジが切れる。
【図面の簡単な説明】
【０００７】
【図−１】本考案に係るダイスハンドルでネジを切る状態の断面図である。
【符号の説明】
【０００８】  １    切れたネジ部
２    ホルダー
３    ダイス
４    取っ手ハンドル
５    スナップリング
６    ガイドカラー
【図１】
0003141111.tif 000003
(57)【要約】      （修正有）【課題】網目状固定式蓋を栽培容器に取り付けた栽培容器を提供する。【解決手段】栽培容器に網目状の固定式蓋を栽培容器に取り付けて使用することを特徴とする。なお、本考案の栽培容器の網目状固定式蓋は円形の場合はネジ蓋、四角形、長方形、多角形の場合は脱落防止式の、かみ合わせ蓋を使用する。【選択図】図１
0003141117.tif 000002
【実用新案登録請求の範囲】
【請求項１】
栽培容器に網目状の固定式蓋を取り付けたペット用草の栽培容器
【考案の詳細な説明】
【技術分野】
【０００１】  この考案は栽培容器に網目状の固定式蓋を取り付けたペット用草の栽培容器である。
【背景技術】
【０００２】  従来のペット用草の栽培容器は蓋の無い状態で栽培するものであった。
【考案の開示】
【考案が解決しようとする課題】
【０００３】  従来のペット用草の栽培容器は次のような問題点があった。
従来のペット用草の栽培容器は栽培容器の開口部が開いたままで有る事でペットが食べる時の動作で栽培植物（草）や栽培用土が栽培容器からこぼれ、抜け落ちる事でまわりを汚した。
本考案は、以上のような欠点をなくすためになされたものである。
【課題を解決するための手段】
【０００４】  栽培容器に網目状の固定式蓋を使用して栽培容器に取り付けて使用する。
以上の構成によりなるペット用草の栽培容器である。
【考案の効果】
【０００５】  栽培容器の網目状固定式蓋の使用で一つ一つの網目から成長した草が伸び、網目をふさぐように密生することにより、ペットが栽培した草をくわえた時に栽培物が培養土とともに栽培容器から抜け出る事無く栽培物の自重で栽培物の葉が切れ又、栽培容器を倒しても栽培容器から栽培物が、こぼれれ落ちない。
形は円形にかぎらず、四角、長方形、多角形でも網状固定式蓋が取り付けられればよい。
【考案を実施するための最良の形態】
【０００６】  以下、本考案の実施例について説明する。
栽培容器に網目状の固定式蓋を付けて使用する。
本考案は、以上のような構造でこれを使用するときは網目状の固定式蓋をかぶせて使用する。
なお、本考案の栽培容器の網目状固定式蓋は円形の場合はネジ蓋、四角形、長方形、多角形の場合は脱落防止式の、かみ合わせ蓋を使用する。
【図面の簡単な説明】
【０００７】
【図１】  本考案の斜視図である。
【図２】  本考案の平面図である。
【図３】  本考案の正面図である。
【図４】  本考案の固定式蓋部分断面図である。
【符号の説明】
【０００８】  １    円形栽培容器
２    円形栽培容器のネジ部
３    円形栽培容器用の網目状固定式蓋の開口部
４    円形栽培容器固定式蓋の断面
５    四角形栽培容器
６    四角形栽培容器のかみ合わせ部分
７    四角形栽培容器用の網目状固定式蓋の開口部
８    四角形栽培容器固定式蓋の断面
【図１】
0003141117.tif 000003
【図２】
0003141117.tif 000004
【図３】
0003141117.tif 000005
【図４】
0003141117.tif 000006
(57)【要約】【課題】使用スペースを減少することができる収納式ベッド、机の構造を提供すること。【解決手段】  メイン枠、サブ枠、接合金具により構成する収納式ベッド、机の構造であり、メイン枠の内側サイドに鎖合金具を設け、サブ枠の体積をメイン枠より小さくし、該枠の内側縁に鎖合金具を設置する。該接合金具の外形形状をL字型に形成し、メイン枠とサブ枠とを鎖合するために用いる。メイン枠とサブ枠とを接続して、折り曲げ可能ない関節を形成することで、収納展開を可能とし、全体構造を展開したときは、ベッド或いは机として使用することができる。【選択図】  図1
0003141197.tif 000002
【実用新案登録請求の範囲】
【請求項１】
メイン枠、サブ枠、接合金具を備え、
前記メイン枠の内側サイドに鎖合金具を設け、前記サブ枠の体積を前記メイン枠より小さく形成し、該枠の内側縁に鎖合金具を設置し、
前記接合金具の外形形状をL字型に形成して前記メイン枠とサブ枠とを鎖合するために用い、前記メイン枠とサブ枠とを接続して、収納及び展開自在に折り曲げ可能な関節を形成し、全体構造を展開したときは、ベッド或いは机として使用できることを特徴とする収納式ベッド、机の構造。
【請求項２】
前記サブ枠をメイン枠の内側に入れることで、収納した後の全体構造の体積をメイン枠の体積のみとしたことを特徴とする請求項1記載の収納式ベッド、机の構造。
【請求項３】
前記メイン枠及びサブ枠のセット数に制限がなく、使用ニーズに応じて増設することで、全体構造を長くすることが可能なことを特徴とする請求項1記載の収納式ベッド、机の構造。
【考案の詳細な説明】
【技術分野】
【０００１】
本考案は収納式ベッド、机の構造に係り、特にベッドと机とに応用でき、サブ枠をメイン枠の中に重ねて収納できる収納式ベッド、机の構造に関する。
【背景技術】
【０００２】
図6及び図7に示すように、従来技術の重ね収納式ベットの構造では、収納する際、構造枠(50)は別の構造枠(50)の上方に接しているため、収納するためには枠を平らに広げたり、高く積み上げたりすることができるのみであり、収納しても体積が小さくならず、使用スペースを有効利用できていないため、改善する必要があった。
【考案の開示】
【考案が解決しようとする課題】
【０００３】
サブ枠の体積をメイン枠より小さくし、収納する際、全てのサブ枠をメイン枠の中に入れることで、体積はメイン枠の大きさのみとなり、使用スペースを減少することができる収納式ベッド、机の構造を提供することを目的とする。
【課題を解決するための手段】
【０００４】
上述の目的を解決するために、本考案の収納式ベット、机の構造は、メイン枠、サブ枠、接合金具を備え、
前記メイン枠の内側サイドに鎖合金具を設け、前記サブ枠の体積を前記メイン枠より小さく形成し、該枠の内側縁に鎖合金具を設置し、
該接合金具の外形をL字型に形成して、前記メイン枠とサブ枠とを鎖合するために用い、前記メイン枠とサブ枠とを接続して、収納及び展開自在に折り曲げ可能な関節を形成し、全体構造を展開したときは、ベッド或いは机として使用できる。
【考案の効果】
【０００５】
本考案によれば、サブ枠をメイン枠より小さくし、収納する際、サブ枠の全てをメイン枠の中に入れることができ、体積をメイン枠の大きさのみすることが可能で、使用スペースを減少することができる。
【考案を実施するための最良の形態】
【０００６】
以下、図面を参照して本考案の実施例を説明する。  
【実施例】
【０００７】
図1〜図5は、本考案の実施例を説明する説明図である。本実施例の収納式ベット、机の構造は、メイン枠(10)、サブ枠(20)、接合金具(30)によって構成される。前記メイン枠(10)は、内側サイドに鎖合金具(40)を設け、前記サブ枠(20)の体積を前記メイン枠(10)より小さくし、該枠の内側縁に鎖合金具(40)を設置している。前記接合金具(30)の外形形状はL字型を呈し、前記メイン枠(10)とサブ枠(20)とを鎖合するために用いられる。
【０００８】
前記メイン枠(10)とサブ枠(20)の上に設置する鎖合金具(40)は、それぞれ接合金具(30)の両端に接続することで、前記メイン枠(10)とサブ枠(20)との間に折り曲げ可能な関節を形成して、収納展開を可能とし、全体構造を展開したときは、ベッド或いは机として使用することができるようになっている。
【０００９】
収納する際、前記サブ枠(20)を前記メイン枠(10)の中に入れることで、該サブ枠(20)が全てメイン枠(10)の中に納まることができるようになっている。収納した後の全体の構造はメイン枠(10)の体積のみとなり、使用スペースを減少することが可能である。
【００１０】
図4及び図5は本考案の他の実施例を示す。図に示すように、枠構造は、二組のメイン枠(10)及びサブ枠(20)に限らず、実際に使用するニーズに基づき、メイン枠(10)よりも体積の大きいメイン枠二(11)を設けて、全体構造を長くすることが可能である。収納する際、前記メイン枠(10)をメイン枠二(11)の中に入れ、サブ枠(20)を該メイン枠(10)の中に入れる。このようにしてメイン枠三、メイン枠四を増設することができる。
【図面の簡単な説明】
【００１１】
【図１】本考案の実施例を示す展開図である。
【図２】本考案の実施例における収納動作の一例を示す説明図である。
【図３】本考案の実施例における収納動作の他の例を示す説明図である。
【図４】本考案の他の実施例を示す展開説明図である。
【図５】図４に示す実施例の収納状態を示す説明図である。
【図６】従来構造を示す展開図である。
【図７】従来構造を示す収納説明図である。
【符号の説明】
【００１２】
10  メイン枠
11  メイン枠二
20  サブ枠
30  接合金具
40  鎖合金具
50  従来構造の枠組み
【図１】
0003141197.tif 000003
【図２】
0003141197.tif 000004
【図３】
0003141197.tif 000005
【図４】
0003141197.tif 000006
【図５】
0003141197.tif 000007
【図６】
0003141197.tif 000008
【図７】
0003141197.tif 000009
(57)【要約】【課題】  モータを使用せずに送風ファンを駆動させる二輪車駆動用ベルトの耐久試験機を提供する。【解決手段】  二輪車駆動用ベルト２の耐久試験を行う試験機であって、自動二輪車３の後輪１５に当接して前記後輪１５と連れまいをするローラ４と、ローラ４と同軸上で固定され、ローラ４と同一回転する第一プーリ６と、自動二輪車３に向けて送風する送風ファン９と、前記送風ファン９の中心軸上に固設された第二プーリ７と、少なくとも第一プーリ６と第二プーリ７間に懸架されたベルト５と、からなる二輪車駆動用ベルト２の耐久試験機である。【選択図】        図２
0003141570.tif 000002
【実用新案登録請求の範囲】
【請求項１】
二輪車駆動用ベルトの耐久試験を行う試験機であって、自動二輪車の後輪に当接して前記後輪と連れまいをするローラと、ローラと同軸上で固定され、ローラと同一回転する第一プーリと、自動二輪車に向けて送風する送風ファンと、前記送風ファンの中心軸上に固設された第二プーリと、少なくとも第一プーリと第二プーリ間に懸架されたベルトと、からなることを特徴とする二輪車駆動用ベルトの耐久試験機。
【請求項２】
前記ローラに負荷装置及びトルク測定手段を装着した請求項１に記載の二輪車駆動用ベルトの耐久試験機。
【考案の詳細な説明】
【技術分野】
【０００１】
この考案は二輪車駆動用ベルトの耐久試験機に係り、より詳しくはタイヤの回転力にて送風ファンを駆動させる二輪車駆動用ベルトの耐久試験機に関する。
【背景技術】
【０００２】
二輪車駆動用ベルトの耐久試験を行う為に、実機として二輪車を用い、二輪車にベルトを懸架し、ベルトの耐久試験を行っているが、二輪車のエンジンを冷却させる為に送風ファンを設置していた。該送風ファンは、モータによってファンを回転させていた。
【０００３】
ところが、送風ファンを駆動する為には、大型のモータが必要となり、大掛かりな電気工事も必要となり、電気代も嵩んでいた。
【考案の開示】
【考案が解決しようとする課題】
【０００４】
本考案は、このような問題を解決する為になされたものであり、モータを使用せずに送風ファンを駆動させる二輪車駆動用ベルトの耐久試験機を提供することを目的とする。
【課題を解決するための手段】
【０００５】
即ち、本願請求項１に記載の考案は、二輪車駆動用ベルトの耐久試験を行う試験機であって、自動二輪車の後輪に当接して前記後輪と連れまいをするローラと、ローラと同軸上で固定され、ローラと同一回転する第一プーリと、自動二輪車に向けて送風する送風ファンと、前記送風ファンの中心軸上に固設された第二プーリと、少なくとも第一プーリと第二プーリ間に懸架されたベルトと、からなる二輪車駆動用ベルトの耐久試験機にある。
【０００６】
請求項２に記載の考案は、前記ローラに負荷装置及びトルク測定手段を装着した請求項１に記載の二輪車駆動用ベルトの耐久試験機にある。
【考案の効果】
【０００７】
請求項１に記載の考案によると、二輪車駆動用ベルトの耐久試験を行う試験機であって、自動二輪車の後輪に当接して前記後輪と連れまいをするローラと、ローラと同軸上で固定され、ローラと同一回転する第一プーリと、自動二輪車に向けて送風する送風ファンと、前記送風ファンの中心軸上に固設された第二プーリと、少なくとも第一プーリと第二プーリ間に懸架されたベルトと、からなる二輪車駆動用ベルトの耐久試験機であることから、自動二輪車の後輪の回転が送風ファンに伝わり、送風ファンを回転させることができる。
【０００８】
請求項２に記載の考案によると、前記ローラに負荷装置及びトルク測定手段及びトルク制御手段を装着した請求項１に記載の二輪車駆動用ベルトの耐久試験機であることから、ベルトに負荷を掛けた実車走行試験ができ、さらにその負荷も制御することができるという効果がある。
【考案を実施するための最良の形態】
【０００９】
以下、本考案の実施の形態を説明する。
図１は、本考案の一実施例を示す図である。図１に示されるように、車両載置台１２上に自動二輪車２が載置されており、後輪１５には、少なくとも一つのローラ４が当接している。そして、ローラ４は同期回転するローラの軸１３を有し、該ローラの軸１３には第一プーリ６が固定されている。従って、ローラ４と第一プーリ６とは同期回転している。そして、送風ファン９の回転中心軸である送風ファンの軸１４の延長上で同軸に第二プーリ７が固定されている。第一プーリ  ６と第二プーリ７は第三プーリ８を介してベルト５にて動力が伝達され、前記ローラ４の回転が送風ファン９に伝わり、自動二輪車３の後輪１５が駆動すると同時に送風ファン９の回転が始まる。
【００１０】
又、前記第三プーリ８は省略し、第一プーリ６と第二プーリ７とを一つのベルト５で直結することもできる。
【００１１】
又、前記ローラ４には負荷装置１０を取り付けることもできる。負荷装置１０としては、水動力計、渦電流式電気動力計等が挙げられる。又、前記ローラ４の軸１３は、トルク計１１及び図示しないトルク制御手段を装着することもできる。前記トルク計１１としては、位相差検出式トルク計、歪検出式トルク計等が使用でき、前記ローラ４に掛かるトルクを計測し、トルク制御手段にて負荷装置１０で掛ける負荷を調節することができる。
【図面の簡単な説明】
【００１２】
【図１】本考案の一実施例を示す図である。
【図２】図１で車両を外した状態での上面図である。
【符号の説明】
【００１３】
１  二輪車駆動用ベルトの耐久試験機
２  二輪車駆動用ベルト
３  自動二輪車
４  ローラ
５  ベルト
６  第一プーリ
７  第二プーリ
８  第三プーリ
９  送風ファン
１０  負荷装置
１１  トルク計
１２  車両載置台
１３  ローラの軸
１４  送風ファンの軸
１５  後輪
【図１】
0003141570.tif 000003
【図２】
0003141570.tif 000004
(57)【要約】      （修正有）【課題】三角巾を頭部に結ぶ手間を省き、頭部に着用した三角巾付カチューシャのずれを防止することができ、三角巾をカチューシャから簡単に着脱自在とした三角巾付カチューシャを提供する。【解決手段】カチューシャ２の頭皮接触面に丸みの突起部５（滑り止め手段）を設けることで、より一層三角巾付カチューシャ１が髪の毛に密着して三角巾付カチューシャ１のずれを防止でき、カチューシャ２の上部と三角巾３の裏面の一辺にマジックテープ(登録商標）（取付手段）を設けることで、三角巾３をカチューシャ２に簡単に取り付けられ、また、三角巾３をカチューシャ２から容易に取り外して洗うことができる三角巾付カチューシャ１を提供することにより、いつでも清潔でしかもファッション性のある三角巾３を着用することができる。【選択図】図１
0003141549.tif 000002
【実用新案登録請求の範囲】
【請求項１】
三角巾をカチューシャに取り付けた三角巾付カチューシャにあって、該カチューシャの頭皮接触面に滑り止め手段を、該カチューシャの上部と該三角巾の裏面に該三角巾を該カチューシャに取り付けるための着脱自在な取付手段を具備することを特徴とする三角巾付カチューシャ。
【考案の詳細な説明】
【技術分野】
【０００１】
本考案は、カチューシャに三角巾を取り付けた三角巾付カチューシャに関するものである。
【背景技術】
【０００２】
従来、学校関係のバザー、調理実習、または料理教室において、四角い布を半分に折り頭部に結ぶいわゆる三角巾は、結ぶとき髪の毛も一緒に結んでしまったり、長時間の使用によりずれ落ちてしまったり、使い勝手が悪かった。
【考案の開示】
【考案が解決しようとする課題】
【０００３】
本考案では、カチューシャにより簡単に髪の毛を押さえ、三角巾で髪の広がりを防ぐことができ、さらにカチューシャへの三角巾の着脱も簡単にできるように、つまり、カチューシャと三角巾を一体化し、三角巾をカチューシャから着脱自在とした三角巾付カチューシャを提供することにより前述の欠点を解決しようとするものである。
【課題を解決するための手段】
【０００４】
本考案は、カチューシャの頭皮接触面に滑り止め手段を設け、カチューシャの上部と三角巾の裏面に、該三角巾を該カチューシャに取り付けるための着脱自在な取付手段を設けた三角巾付カチューシャを提供することにより問題点を解決している。
【考案の効果】
【０００５】
上述の様に、本考案の三角巾付カチューシャを使うことにより、三角巾を頭部に結ぶ手間を省き、頭部に着用した前記三角巾付カチューシャのずれを防止することができる。また、三角巾はカチューシャに着脱自在に取り付けられることができるので取り外したときに洗うこともでき、違う柄を取り付けることによりファッション性も出せるようになった。
【考案を実施するための最良の形態】
【０００６】
本考案の三角巾付カチューシャは、カチューシャと三角巾が一体化することで、従来の後ろで縛る三角巾と同じ役目を果たし、従来の三角巾のみの場合よりも簡単に取り付けられ、しかも、カチューシャの頭皮接触面に丸みを帯びた突起部等の滑り止め手段を設けることによりカチューシャのずれを防止することもでき、前髪も上げられる利点も兼ね備えられている。また、カチューシャに取り付けられた三角巾はマジックテープ（登録商標）等の取付手段により着脱自在に取り付けられており、カチューシャから三角巾を取り外して洗うこともできるので、いつでも清潔なファッション性のある三角巾を確実に頭部に着用することができるようになる。
【実施例１】
【０００７】
以下、添付図面に従って一実施例を説明する。図１は、本考案の三角巾付カチューシャ１を示す平面図であり、図２と図３は、図１の三角巾付カチューシャ１の三角巾３をカチューシャ２から取り外した場合の該カチューシャ２と該三角巾３各々を示すものである。カチューシャ２の頭皮接触面に丸みを帯びた突起部５（滑り止め手段）を設けることにより、三角巾付カチューシャ１を頭部に着用する際の地肌へのダメージを軽減でき、より一層髪の毛に密着させて取り付けることができるようになる。
【０００８】
また、カチューシャ２の上部に設けたマジックテープ（登録商標）４（取付手段）と三角巾裏面の一辺に縫い付けたマジックテープ（登録商標）６（取付手段）とを合わせられることによりプラスチック製のカチューシャ２と三角巾３とを互いに着脱自在とすることができる。
【実施例２】
【０００９】
本考案の一実施例は上述の如き構成からなるものであるから、三角巾３をカチューシャ２から取り外して洗うことができ、いつでも清潔でしかもファッション性のある三角巾３を、ＴＰＯを考慮して着用することができるようになる。  
【図面の簡単な説明】
【００１０】
【図１】本考案の三角巾付カチューシャの一実施例を示す平面図である。
【図２】本考案のカチューシャ部分を示す平面図である。
【図３】本考案の三角巾部分の裏面図である。
【符号の説明】
【００１１】
１  三角巾付カチューシャ
２  カチューシャ
３  三角巾
４  カチューシャ上部のマジックテープ（登録商標）（取付手段）
５  突起部（滑り止め手段）
６  三角巾裏面のマジックテープ（登録商標）（取付手段）
【図１】
0003141549.tif 000003
【図２】
0003141549.tif 000004
【図３】
0003141549.tif 000005
(57)【要約】【要  約】【課  題】    ろうそくのむだをなくし、火災に対する安全性を向上させた小型ろうそく用ろうそく立てを実現する。【解決手段】  防水加工した厚紙、または比重の低い樹脂製で、略円板状の本体１１の中央に小型ろうそくを立てる孔１２を設ける。【選択図】    図１
0003141542.tif 000002
【実用新案登録請求の範囲】
【請求項１】
防水加工した厚紙、または比重の低い樹脂製で、略円板状の本体（１１）の中央にろうそくを立てる孔（１２）を設けたことを特徴とする小型ろうそく用ろうそく立て。
【請求項２】
本体（１１）の表面を着色するか、本体（１１）の表面に模様などを描くか、本体（１１）の外形を模様の形状とするかの少なくともいずれかの装飾を施した請求項１に記載の小型ろうそく用ろうそく立て。
【考案の詳細な説明】
【技術分野】
【０００１】
本考案は、短時間で燃焼する小寸法のろうそくを、より安全に使用できるようにした小型ろうそく用ろうそく立てに関する。
【背景技術】
【０００２】
ろうそくは、停電時等の非常用の光源としての使用のほか、仏壇、神棚等の灯明用としても広く用いられている。しかし、点火したまま放置して使用場所を離れたりすると倒れて周囲に燃え移る危険があり、用済み後の手まめな消火を励行するように注意はなされているものの、完全は期し難い。このため、必要時間のみで燃え尽きるよう、数分、ないし10分程度の短時間しか燃焼が持続しない小型のろうそく（以下、「小型ろうそく」という）が作られている。
【０００３】
しかしこれでも周囲に燃え移る危険がないわけではない。そこで、コップ等の透明な容器に水を入れ、ろうそくを水に浮かべるフローティング式のろうそくが考案されている。図４に示すのはその一例で、ろうそく３を板状に成形し、中央付近に芯糸３１を配置してある。ろうそく３自体は比重が軽く水に浮くので、浮かんだまま燃焼し、燃え尽きれば自然に消えるのできわめて安全である。ろうに着色したり、図４の例に示すように模様の形（カードのクラブ形状）に成形したりして意匠性をもたせることも容易である。
【０００４】
特許文献１には、同様に水に浮かべるろうそくが記載されている。これを図５に示す。ろうそく４は球形で、中央に芯糸４１を配置し、これが常に上向きの姿勢を保持するよう、球体の下部におもりを入れてある。
【特許文献１】実開平５−６９１４１号公報
【考案の開示】
【考案が解決しようとする課題】
【０００５】
図４、図５に示したようなフローティング式のろうそくは、燃え移り等に対する安全性は十分であるものの、容器に対してろうそくのサイズが小さいと燃焼しながら容器の中心位置にとどまらず周辺に寄ってしまったり、燃えかたが偏っていると傾斜して十分に燃焼せずに消えてしまうなどの問題点がある。
本考案は、このような問題点を解消し、ろうそくの位置と姿勢を保持したまま所定時間燃焼し、消火する安全性の高いろうそく立てを実現することを目的とする。
【課題を解決するための手段】
【０００６】
本考案は、防水加工した厚紙、または比重の低い樹脂製で、略円板状の本体の中央にろうそくを立てる孔を設けたことを特徴とする小型ろうそく用ろうそく立てであり、望ましくは、本体の表面を着色するか、本体の表面に模様などを描くか、本体の外形を模様の形状とするかの少なくともいずれかの装飾を施した前記の小型ろうそく用ろうそく立てである。
【考案の効果】
【０００７】
本考案によれば、ろうそくが必要なだけ完全に燃焼してむだがなくなるとともに、ろうそく使用に伴う安全性が大きく向上し、火災等が防止されるという、すぐれた効果を奏する。
【考案を実施するための最良の形態】
【０００８】
本考案の実施例を図面により説明する。図１は実施例の小型ろうそく用ろうそく立て１を示す斜視図で、１１は略円板状のろうそく立ての本体、１２はその中央に設けられたろうそくを立てる孔である。本体１１は水に浮き、かつ水が染み込まないように防水加工した厚紙、または比重の低い（水に浮く）樹脂製の薄い板で、中央のこの孔１２は、例えば中心で交わる複数の斜め方向の切れ込みで形成され、小型ろうそくを押し込むことにより孔が開いて、小型ろうそくをしっかりと保持するようになっている。短時間用の小型ろうそくは長さも15〜25ｍｍ程度である。本体１１の大きさに比べてろうそくの高さが低ければ、転倒するおそれはない。
【０００９】
図２は実施例の小型ろうそく用ろうそく立て１に小型ろうそく２を立てた状態を示す正面図で、２１は芯糸である。この状態で芯糸２１をつまんで小型ろうそく用ろうそく立て１を容器の水に浮かべ、ライター、マッチ等で点火して使用する。図３は使用状態を示す斜視図で、Ｃはコップ等の水を入れる透明な容器である。炎が上に出ない程度に、容器に少なめに水を入れるとよい。
【００１０】
本体１１の大きさ（直径）は任意であるが、中央の炎によって周囲が焦げない程度の大きさ、例えば直径が40ｍｍ以上であることが好ましい。また、水に浮いた状態のろうそくがあまり広範囲に動き回らないよう、容器Ｃの内径に対して差が少ない方がよい。本体１１が容器Ｃの内面に接触しても、炎の中心は本体１１の半径分だけ容器Ｃから離れているから、火が消えることはない。
【００１１】
図３は本考案の小型ろうそく用ろうそく立て１の使用状態の一例を示す斜視図である。この図に示したとおり、ろうそくの下端から若干長さ部分はろうそく立て１の本体１１の下に出て水に漬かっているので冷却されている上、多少の水も吸い込むので、この部分まで燃えてくると、倒れることなく立ったままで自動的に火は消える。したがって最初にろうそくを立てるとき、押し込む長さを調整することで燃焼時間を変えることができる。
【００１２】
機能面では、本体１１の外形は単純な円、あるいは多角形状（本明細書ではこれらを合わせて「略円板状」という。雪の結晶状なども含む）であれば十分であるが、印刷等により本体の表面を着色するか、本体の表面に花びらなどの模様を描くか、本体の外形を、例えば蓮の花模様の形状とする、などの意匠をこらせば、装飾性が向上するのでいっそう好ましい。
【００１３】
本考案の小型ろうそく用ろうそく立ては１回毎に使い捨てる必要はなく、使用可能な限り何回でも繰り返し使用できる。
【図面の簡単な説明】
【００１４】
【図１】本考案実施例の小型ろうそく用ろうそく立てを示す斜視図である。
【図２】本考案実施例の小型ろうそく用ろうそく立てに小型ろうそくを立てた状態を示す正面図である。
【図３】本考案実施例の小型ろうそく用ろうそく立ての使用状態の一例を示す斜視図である。
【図４】従来公知のフローティング式ろうそくの一例を示す斜視図である。
【図５】同じく従来の技術におけるフローティング式ろうそくを示す斜視図である。
【符号の説明】
【００１５】
１    小型ろうそく用ろうそく立て
２    小型ろうそく
３、４    ろうそく
１１    本体
１２    孔
２１、３１、４１    芯糸
Ｃ    容器
【図１】
0003141542.tif 000003
【図２】
0003141542.tif 000004
【図３】
0003141542.tif 000005
【図４】
0003141542.tif 000006
【図５】
0003141542.tif 000007
(57)【要約】【課題】折り畳み傘を傘立てに置き、訪問先の用事を終え帰る際に、傘立てに置いた傘を置き忘れることなく持ち帰ることを常に可能とする。【解決手段】傘の骨組み構造の少なくとも１本の先端をクリップ構造にすることで、環状紐を具備した識標をクリップに挿脱することができることにより、訪問先の傘立てに傘を置く際に識標を外し、その識標を指先より挿入することで指飾りとしと使用でき、用事を済ませたときに指飾りが見えることから傘を置いたことを認識することから、帰る際に傘忘れを防止できる。【選択図】図１
0003141528.tif 000002
【実用新案登録請求の範囲】
【請求項１】
開閉可能な骨組み構造と、骨組み構造の上部を覆う防水布と、骨組み構造の少なくとも１本の骨組みは弾力性を有し、且つ、その先端はクリップ構造を有することを特徴とする折り畳み傘。
【請求項２】
環状紐を具備した識標の環状紐をクリップの端部より挿脱することにより識標を装脱着可能にしたことを特徴とする請求項１の折り畳み傘。
【請求項３】
環状紐は弾性体からなり、取り外した識標の環状紐を人の指先より挿入することにより、指飾りとしと使用できることを特徴とする請求項２の折り畳み傘。
【考案の詳細な説明】
【技術分野】
【０００１】
本考案は、折り畳み傘の置き忘れを防止し、且つファション性と利便性を損なわない折り畳み傘に関するものである。
【背景技術】
【０００２】
従来の傘は、防水面の柄デザインが主流で独自性を出していたが、又傘の忘れ物も、常にトップである。
【０００３】
傘は日常での使用は、雨天の場合が多く、外出先では水滴が滴ることから、傘立てに置くのが一般的である。訪問先の用事を終え帰る際に、雨が降っていれば傘の持参を思い付くが、晴れていれば、傘を持ってきたことを忘れることが多いことは、各自経験していることである。
【０００４】
傘を傘置きに入れると忘れることから、忘れを防ぐためには目的地に着いた際に、差してきた傘の水滴を払った後に傘袋に入れて身につけておく方法もあるが、傘の水滴を完全に取り除くことができないことから衣類を濡らしたり、床に水滴を落としたりと問題が生じることも経験していることである。
【０００５】
この改善策として、傘置きにセンサ−を取り付け、電車等ではドア−の開閉時に警報音を発して忘れを警告する、不特定多数が利用する施設では傘置き場の前を人が通ると傘を開き警告する方法が提案されている。しかし、何れも方法も複雑な装置、施設を必要とし、多大な費用を要することから実現は現実的でなく、その証拠にこれまで国内でその様な装置が使用された例は見当たらないのである。
【特許文献１】特開平６−８７３８４号公報
【特許文献２】特開２００５−１４３５６８号公報
【考案の開示】
【考案が解決しようとする課題】
【０００６】
解決しようとする問題点は、センサ−を取り付け、ドアの開閉又は人を検知するような大掛かりな装置を用いないと有効な傘忘れ防止ができない点である。
【課題を解決するための手段】
【０００７】
傘の骨組み構造の少なくとも１本の骨組みは弾力性を有し、且つ、その先端はクリップ構造を有することで、環状紐を具備した識標の環状紐をクリップの端部より挿脱することにより識標を装脱着可能にしたことで、傘立てに傘を置く際に識標を外し、その識標を指先より挿入し、指飾りとしと使用することから、用事を済ませたときに指飾りが見えることから傘を置いたことを認識できることを最も主要な特徴とする。
【考案の効果】
【０００８】
本考案の環状紐を具備した識標は、識標のデザインは傘の柄のデザイン、トランプマーク、誕生石、干支、数字、イニシャル文字、名前、縁起物のデザインにすることによりファション性を持たせることもできることから、訪問先の雰囲気に合わせた装飾品として身に付けることができるという利点がある。
【考案を実施するための最良の形態】
【０００９】
折り畳み傘の置き忘れを防止するという目的を、最小の部品点数と費用で、ファション性と利便性を損なわずに実現した。
【実施例】
【００１０】
図１は、本考案折り畳み傘1の１実施例の全体図であって、１〜６は、図２，図３と同様である。また、１は折り畳み傘、１ａは布、２は骨組み、２ａは構造の少なくとも１本の弾力性を有する骨組み、３は環状紐を具備した識標である。
【００１１】
図２は、図1の弾力性を有する骨組み２ａの先端部のクリップ４の詳細図であり、識標３を装着した状態を示す。
【００１２】
図３は、折り畳み傘１から取り外した職標３を指に挿入した状態を示す。
【００１３】
識標の形状又は大きさは、特に制約はなく、傘の使用者の年齢、性別、趣味等の好
みに応じて、例えば傘の柄デザイン、トランプマーク、誕生石、干支、数字、イニシャ
ル文字、名前、縁起物、キャラクタ−、ペット等のデザインしたものを応用すれば良い。
【００１４】
本実施例は、１例であり、環状紐の大きさを変えることにより腕に装着する、キーホルダーとする等の方法でも良く、本実施例に制限されるものではない。
【産業上の利用可能性】
【００１５】
折り畳み傘の1本の骨組みを弾力性を有する材料を用い、先端部をクリップ構造にすることにより、環状紐を具備した識標を簡単に装着できることにより、傘を傘置きに置く際に、傘より識標を取り外し指に挿入することで、識標を手に装着している間は識標を認識することにより、傘の置き忘れ防止に適用できる。
【図面の簡単な説明】
【００１６】
【図１】折り畳み傘に環状紐を具備した識標を取り付けた状態を示した説明図である。
【図２】折り畳み傘の弾力性を有する骨組みの先端部のクリップ構造の詳細と環状紐を具備した識標を取り付けた状態を取り付けた状態を示した説明図である。
【図３】環状紐を具備した識標を手の指に挿入した状態を示した説明図である。
【符号の説明】
【００１７】
１    折り畳み傘
１ａ  布
２    骨組み
２ａ  弾力性を有し、先端がクリップ構造骨組み
３    識標
４    クリップ
５    手
６    傘の柄
【図１】
0003141528.tif 000003
【図２】
0003141528.tif 000004
【図３】
0003141528.tif 000005
(57)【要約】      （修正有）【課題】遮断桿へ容易に取付けることが出来ると共に、耐候性及び耐久性に優れており、長期間使用することが出来るようにする。【解決手段】踏切遮断桿用標識ベルト１は、一対の軟質プラスチック板４、５を重ね合わせ、その一側部を鳩目状金具６で一体に結合した取付部２と、細長い基板８の上面に略同形の反射シート９又は蛍光シートを縫着したベルト部３とを具えており、上記取付部２の下側端部に前記ベルト部３の上端部を連結してなり、前記鳩目状金具６の貫通孔７に適宜のバンド１１を挿通して遮断桿の一側に取付けることにより、遮断桿に吊り下げ得るように構成してある。【選択図】図１
0003141525.tif 000002
【実用新案登録請求の範囲】
【請求項１】
一対の軟質プラスチック板を重ね合わせ、その一側部を鳩目状金具で一体に結合した取付部と、細長い基板の上面に略同形の反射シート又は蛍光シートを縫着したベルト部とを具えており、上記取付部の下側端部に前記ベルト部の上端部を連結してなり、前記鳩目状金具の孔に適宜のバンドを挿通して遮断桿の一側に取付けることにより、遮断桿に吊り下げ得るようにしたことを特徴とする踏切遮断桿用標識ベルト。
【考案の詳細な説明】
【技術分野】
【０００１】
本考案は、踏切遮断桿に取付けて、安全確保と歩行者や車両に対して注意を促すために使用する標識ベルトに関するものである。
【背景技術】
【０００２】
従来、この種標識ベルトとしては、上部を湾曲させて遮断桿の下側周面部に接着固定する取付部と、該取付け部の下側部に回動可能に付設した可動部とを具え、該可動部に標識ベルトの上端部を取付けたものがあった。
【非特許文献１】登録意匠第８９５３０２号
【考案の開示】
【考案が解決しようとする課題】
【０００３】
従来の標識ベルトは、遮断桿に固定する取付け部を硬質プラスチックで形成してあるため、柔軟性に欠け、遮断桿への取付けがし難いと共に破損し易い惧れがあった。
また、視認作用を果たす標識ベルトは、細長い基材の上面に、蛍光シートや反射シートを貼付してあるため、気候変動により屡々剥離する恐れがあり、耐候性、耐久性に欠けるという難点があった
そこで本考案では、遮断桿へ容易に取付けることが出来ると共に、耐候性及び耐久性に優れており、長期間使用することが出来るようにした遮断桿用標識ベルトを提供しようとするものである。
【課題を解決するための手段】
【０００４】
本考案に係る遮断桿識別ベルトは、上記目的を達成するために次のように構成した。
即ち、一対の軟質性プラスチック板を重ね合わせ、その一側部を鳩目状金具で一体に結合した取付部と、細長い基板の上面に略同形の反射シート又は蛍光シートを縫着したベルト部とを具えており、上記取付け部の下側端部に前記ベルト部の上端部を連結してなり、取付部を遮断桿の一側に取付け、鳩目状金具の貫通孔に適宜のバンドを挿通して、遮断桿に吊り下げ得るように構成した。
【考案の効果】
【０００５】
上記構成からなる本考案においては、遮断桿への取付部は一対の軟質プラスチックを重ね合わせてあるから、柔軟性があり、両側に開く事により遮断桿下側周囲へ圧接でき、しかも遮蔽桿の外径が取付個所により多少異なっても適合できるので、容易確実に取付けられる。
また、視認作用をなす標識ベルト部は、細長い基板の上面に略同形の反射シート又は蛍光シートを縫着してあるので、耐候性、耐久性に優れており、製長期間使用しても剥離する惧れがない。
従って、本製品を遮断桿に付設しておく事により、昼間や夜間の踏切事故を長期間にわたり未然に防止することが出来る効果がある。
【考案を実施するための最良の形態】
【０００６】
以下、添付図面に従って本考案の一実施形態を詳説する。
１は標識ベルトであって、遮断桿Ｈへの取付部２とベルト部３からなる。
前記取付部２は、その一方の取付板４を他方の取付板５より長めに形成した２個の軟質プラスチック製の取付板４、５を重ね合わせ、その下側部を貫通孔７を有する鳩目状金具６により一体に結合してある。
而して、取付板４、５の上側部は遮断桿Ｈの下側半周に略適合する程度の長さに形成してあると共に、長い取付板４の下端部１２を突出させてある。
また、前記ベルト部３は、細長く形成した基板８（長さが約４０〜５０ｃｍ）の上面に、該基板８よりやや短く形成した反射シート９を重ね合わせて周縁部を一体に縫着してある。
なお、上記反射シート９は、赤色部９aと白色部９bとを交互に斜状の模様に表示してある。而して、長めに形成した一方の取付板４の下端部１２に、ベルト部３の基板８上端部をリベット１０により鋲着してある。
なお、上例においては、反射シート９を用いたが、反射シートの代わりに蛍光シートを用いる場合もある。また、長く形成した取付板４の下端部にベルト部３の上端部を鋲着するようにしたが、両取付板４、５を同じ長さに形成して、その下端部にベルト部３を鋲着するようにしても良い。
【０００７】
上記構成からなる本考案品の取付け方法を図４に基づき説明する。
即ち、取付板４、５の上側部を略Ｕ状に開いて、遮断桿Ｈの下側外周面部に当接した後、適当な帯状バンド１１を鳩目状金具６の貫通孔７に通して遮断桿Ｈの周囲に巻き付け、そのバンド端部をタイラップ工具のような締付具で止着することにより、遮断桿Ｈの下側に吊り下げるものである。
而して、図示省略したが、本考案に係る標識ベルト１を、踏切遮断桿Ｈの長手方向に沿って、所定間隔を置いて並設するものである。
【図面の簡単な説明】
【０００８】
【図１】標識ベルトの一部を省略した正面図である。
【図２】同上側面図である。
【図３】遮断桿への取付け状態を示す一部を省略した中央縦断面図である。
【図４】遮断桿への取付け状態を示す一部を省略した参考図である。
【符号の説明】
【０００９】
１    標識ベルト
２    取付部
３    ベルト部
４    取付版
５    取付板
６    鳩目状金具
７    貫通孔
８    基板
９    反射シート
１０  リベット
１１  帯状バンド
【図１】
0003141525.tif 000003
【図２】
0003141525.tif 000004
【図３】
0003141525.tif 000005
【図４】
0003141525.tif 000006
(57)【要約】【課題】ひざやひじなどの身体に装着したときのフィット性に優れ、且つ身体の動きによってずれにくい編物を提供する。【解決手段】メリヤス編みにより筒状に編成された編物であって、ループ部分１２とループ部分１２との間を繋ぐ糸部１３および前記ループ部分１２とループ部分１２との間を繋ぐ糸部１３に沿うように挿入されるカバーリングゴムなどの弾性糸１４が長くなるようにシンガーによる動きにより制御されながら編成されている。【選択図】図２
0003141515.tif 000002
【実用新案登録請求の範囲】
【請求項１】
メリヤス編みにより筒状に編成された編物であって、ループ部分とループ部分との間を繋ぐ糸部および前記ループ部分とループ部分との間を繋ぐ糸部に沿うように挿入されるカバーリングゴムなどの弾性糸が長くなるようにシンガーによる動きにより制御されながら編成されてなることを特徴とする編物。
【請求項２】
編物を構成する糸に備長炭が練り込まれていることを特徴とする請求項１記載の編物。
【請求項３】
編物を構成する糸にゲルマニウムが練り込まれていることを特徴とする請求項１または２記載の編物。
【考案の詳細な説明】
【技術分野】
【０００１】
本考案は、ひざやひじなどに装着し、関節などの保護、保温に適したサポーターや腹巻きなど身体に装着する編物に関するものである。
【背景技術】
【０００２】
従来から種々のサポーターや腹巻きなどの編物が知られているが、大抵はメリヤス編みにより作られている。このメリヤス編みにより筒状に編成された編物は横方向への伸縮性が大きくなるように作られているものの、この編物の編目組織は図４に示す如くであり、ループ部分１とループ部分１との間を繋ぐ糸部２が短く、伸縮性に限度があり、編物を身体に装着したときに締め付けがきつく、不快感を生じるという問題があった。また、編物を身体に装着したときに前述のように締め付けがきついこととフィット性に優れることとは異なり、締め付けがきつくても伸縮性が低いと身体の動きにより編物がずれやすいという問題があった。
【考案の開示】
【考案が解決しようとする課題】
【０００３】
本考案はこのような課題を解決するもので、ひざやひじなどの身体に装着したときのフィット性に優れ、且つ身体の動きによってずれにくい編物を提供することを目的とするものである。
【課題を解決するための手段】
【０００４】
本考案の請求項１に記載の編物は、メリヤス編みにより筒状に編成された編物であって、ループ部分とループ部分との間を繋ぐ糸部および前記ループ部分とループ部分との間を繋ぐ糸部に沿うように挿入されるカバーリングゴムなどの弾性糸が長くなるようにシンガーによる動きにより制御されながら編成されてなることを特徴とする。
【０００５】
請求項２に記載の編物は、編物を構成する糸に備長炭が練り込まれていることを特徴とする。
請求項３に記載の編物は、編物を構成する糸にゲルマニウムが練り込まれていることを特徴とする。
【考案の効果】
【０００６】
以上のように、本考案の編物は、ループ部分とループ部分との間を繋ぐ糸部および前記ループ部分とループ部分との間を繋ぐ糸部に沿うように挿入されるカバーリングゴムなどの弾性糸が長いので、伸縮性が大きく、締め付け感が殆どなく、フィット性に優れ、身体の動きによってずれにくい編物を提供することができる。また、編物に付着する備長炭やゲルマニウムにより、温熱効果が得られ、編物が例えばサポーターの場合、ひざやひじの痛みを緩和することができる。
【考案を実施するための最良の形態】
【０００７】
以下、本考案の実施の形態を、図面を用いて具体的に説明する。
先ず、図１および図２に示す第１の実施の形態について説明すると、１１はアクリルやナイロンなどからなる糸を用いてメリヤス編みにより筒状に編成されたサポーターであって、このサポーター１１の編目組織は図２に示す如くであり、ループ部分１２とループ部分１２との間を繋ぐ糸部１３が前記従来のサポーターに比べて長くなるようにシンガーによる動きにより制御されながら編成されている。１４はサポーター１１の緯方向に挿入されたカバーリングゴムなどの弾性糸であって、サポーター１１全体に亘って前記ループ部分１２とループ部分１２との間を繋ぐ糸部１３に沿うように挿入されており、この弾性糸１４も糸部１３に合わせて長くなっている。
【０００８】
ところで、サポーター１１を構成する糸には備長炭やゲルマニウムが練り込まれる。
上記構成のサポーター１１をひざやひじなどに装着したとき、ループ部分１２とループ部分１２との間を繋ぐ糸部１３が長いので、伸縮性が大きく、締め付け感が殆どなく、フィット性に優れ、ひざやひじなどの動きによってずれにくくなる。また、サポーター１１に練り込まれた備長炭やゲルマニウムにより、温熱効果が得られ、痛みを緩和することができる。
【０００９】
次に、図３に示す第２の実施の形態について説明すると、１５はアクリルやナイロンなどからなる糸を用いてメリヤス編みにより筒状に編成された腹巻きであって、作り方は基本的には前記サポーター１１と同様であり、ループ部分１２とループ部分１２との間を繋ぐ糸部１３が前記従来の腹巻きに比べて長くなるようにシンガーによる動きにより制御されながら編成されており、ループ部分１２とループ部分１２との間を繋ぐ糸部１３に沿うように挿入されているカバーリングゴムなどの弾性糸１４も糸部１３にあわせて長くなっている。
【００１０】
この腹巻き１５の場合、弾性糸１４の伸び率は３〜４倍であって、弾性糸１４をほぼ最大伸び率まで引っ張って伸ばしたとき、ループ部分１２とループ部分１２との間を繋ぐ糸部１３が弾性糸１４とほぼ平行状態となって、腹巻き１５の伸び率もほぼ３〜４倍となり、腹巻き１１の伸縮性が非常に大きくなる。
【００１１】
上記構成の腹巻き１５を身体腹部に装着したとき、ループ部分１２とループ部分１２との間を繋ぐ糸部１３が弾性糸１４のほぼ最大伸び状態を許容する程度に長いので、腹巻き１１としての伸縮性が大きく、締め付け感が殆どなく、フィット性に優れ、身体腹部からずれにくくなる。しかも、１種類のサイズのもので胴回りの小さい人から大きい人まで使用することができる。
【図面の簡単な説明】
【００１２】
【図１】本考案の第１の実施の形態におけるサポーターの斜視図である。
【図２】同サポーター伸張時の編目を拡大した組織図である。
【図３】本考案の第２の実施の形態における腹巻きの斜視図である。
【図４】従来の編物伸張時の編目を拡大した組織図である。
【符号の説明】
【００１３】
１１    サポーター
１２    ループ部分
１３    糸部
１４    弾性糸
１５    腹巻き
【図１】
0003141515.tif 000003
【図２】
0003141515.tif 000004
【図３】
0003141515.tif 000005
【図４】
0003141515.tif 000006
(57)【要約】      （修正有）【課題】容易に既設杭を引き抜くことができる杭抜工具を提供する。【解決手段】土中に打ち込んだ既設杭の露出部分の側面をクラッパーで咬み込ませ、クラッパーの取り付け部の対向部に設けたリンク取り付け軸受に軸着するリンクを介してハンドル棒に加えた人の力を梃の原理を応用する。【選択図】図１
0003141504.tif 000002
【実用新案登録請求の範囲】
【請求項１】
土中１に打ち込んだ杭（２）の露出部分の側面に咬み込む歯具（９）を備えたクラッパー（３）とクラッパー（３）の両端を固着する三角プレート（４）と三角プレート（４）のクラッパー（３）の取り付け部の対向部に回動するリンク（５）とリンク取り付け軸受け（６）を備えリンク（５）に軸着するハンドル棒（７）とハンドル棒（７）を支える固定支柱部（８）からなることを特徴とする杭抜き工具。
【請求項２】
クラッパー（３）の土中に打ち込んだ杭の露出部分の側面に咬み込む歯具（９）先端の形状は、鋸歯状であることを特徴とする請求項１の杭抜き工具。
【考案の詳細な説明】
【技術分野】
【０００１】
本考案は、土中に打ち込んだ杭が容易に抜き取る杭抜き工具に関するものである。
【背景技術】
【０００２】
測量、建物の解体・撤去又は解体に際して、既に地中に埋設されている既設杭を撤去する場合、地中に埋め込まれた既設杭は期間が経てば経つ程地盤に安定固着されてしまっているため、その引き抜きには大きな引き抜き力と大掛かりな機器、機材が必要になる。
【０００３】
長尺の木杭又は金属パイプからなる既設杭を撤去するには、既設杭の側面をチャキングし、大型の建設機械により引き抜き撤去する方法等がある。これを解決するために、パイプを杭の外周に巻きつけるように加工しパイプの一端を手で杭を引き抜く方向に押し上げる方法が考え出されているが、杭そのものを引き抜くと同等の引き抜き力を要し何等解決策となるものではない。
【０００４】
てこの原理を利用して軽くし、既設杭を撤去する方法も考え出されているが、加えた力に対し、既設杭の側面と抜き方向に掛かる力が分散し、意図した引き抜き力は得られない問題があった。
【０００５】
これまでの方法では、大掛かりな機材を用いて無理やり既設杭を撤去するか、時間と手間をかけた非効率な方法しかなかったのである。
【特許文献１】実開平８−７３１号公報
【特許文献２】特開２００２−３４８８７１号広報
【考案の開示】
【考案が解決しようとする課題】
【０００６】
解決しようとする問題点は、既設杭を撤去する方法において大掛かりな機材を用いることなく、人の手で間単に既設杭を撤去することができない点である。
【課題を解決するための手段】
【０００７】
本考案は、土中に打ち込んだ既設杭の露出部分の側面に咬み込む歯具を備えたクラッパーと回動するリンクとハンドル棒からなり、ハンドル棒を人が押し下げることにより、歯具を備えたクラッパーが既設杭の側面に咬み込み持着し、人が加えた力をハンドル棒の軸方向に対して下垂直方向に取り付けた支柱を介して梃の原理を応用し、人の加えた力を既設坑の上垂直方向に大きく引き抜く力として加えることができることを最も主要な特徴とする。
【考案の効果】
【０００８】
本考案の杭抜き工具は、既設杭の側面にクラッパーの歯具が咬み込み、既設杭を持着することができ、クラッパーとハンドル棒を連結する回動リンクを介して、既設坑に上垂直方向に引き抜く力をハンドル棒より人が加えた力を梃の原理を応用することにより大きな引き抜く力を既設杭に加えることができる利点がある。
【考案を実施するための最良の形態】
【０００９】
土中に打ち込んだ既設杭を人の力で容易に引き抜くという目的を、最小の部品点数で廉価・コンパクト・油圧制御等の動力源を必要せず、また使用場所が制限されることなく実現した。
【実施例１】
【００１０】
図１は、本考案工具の実施例であって、１〜９は図２，図３と同様である。また２は土中１に打ち込んだ杭２で杭２を杭抜き工具を取り付けた状態を示す。
【００１１】
杭２の側面には、杭抜き工具のクラッパー３を構成する歯具９の先端が食い込む構造となっている。
【００１２】
杭抜き取り工具のハンドル棒７の後端部を人の手で土中１の方向に押し下げること
で固定支柱部８を基準にした梃の原理により、杭１を直接人の手で抜き取る場合に比べ少ない加重でより大きな引き抜き力を杭２に加えることができる。
【００１３】
杭抜き取り工具は、容易に可搬可能であるあること、動力源を必要としないことから、
場所を選ばず、狭い場所、水中等任意の場所での使用が可能である。
【産業上の利用可能性】
【００１４】
土中に打ち込んだ既設杭の露出部分の側面をクラッパーの歯具で咬み込ませ持着し、回動するリンクを介してハンドル棒を押し下げれば、梃の原理により人の力で容易に既設杭を引き抜くことができる。また、動力を必要とせず、コンパクトな大きさであることから、あらゆる場所で使用できる。
【図面の簡単な説明】
【００１５】
【図１】土中に打ち込んだ既設杭に杭抜き工具を取り付けた状態を示した説明図である。
【図２】杭抜き工具を上面から見た説明図である。
【図３】杭抜き工具の図２のＡ−Ａ矢印断面構造の状態を示した説明図である。
【符号の説明】
【００１６】
１    土中
２    杭
３    クラッパー
４    三角プレート
５    リンク
６    リンク取り付け軸受け
７    ハンドル棒
８    固定支柱部
９    歯具
【図１】
0003141504.tif 000003
【図２】
0003141504.tif 000004
【図３】
0003141504.tif 000005